(57)【要約】【課題】設置時に調整を必要としない受信増幅器を提供することである。【解決手段】塔頂受信増幅器（１００）から受け取った、パイロット信号を含む信号からパイロット信号を抽出するパイロット信号抽出部（２０２）と、パイロット信号抽出部（２０２）が抽出したパイロット信号に応じて信号の大きさを増幅または減衰する、パイロット信号抽出部（２０２）の出力側に接続された信号増幅減衰部（２０１）とを有する監視制御装置である。【選択図】図３
2009246473.tif 000002
【特許請求の範囲】
【請求項１】
塔頂受信増幅器から受け取った、パイロット信号を含む信号から前記パイロット信号を抽出するパイロット信号抽出部と、
前記パイロット信号抽出部が抽出した前記パイロット信号に応じて前記信号の大きさを増幅または減衰する、前記パイロット信号抽出部の出力側に接続された信号増幅減衰部とを有する監視制御装置。
【請求項２】
前記パイロット信号抽出部が抽出した前記パイロット信号を、所定のタイミングでサンプル・ホールドするサンプル・ホールド部をさらに有し、
前記信号増幅減衰部は、前記サンプル・ホールド部にサンプル・ホールドされた前記パイロット信号に応じて前記信号の大きさを増幅または減衰する、請求項１に記載の監視制御装置。
【請求項３】
前記パイロット信号抽出部が抽出した前記パイロット信号と、前記サンプル・ホールド部にサンプル・ホールドされた前記パイロット信号との差信号を出力する差信号出力部を更に有する、請求項２に記載の監視制御装置。
【請求項４】
パイロット信号を含む信号を出力する塔頂受信増幅器と、
前記塔頂受信増幅器とケーブルで接続された監視制御装置とを有する塔頂受信増幅器監視制御システムであって、
前記監視制御装置は、
前記塔頂受信増幅器から受け取った、パイロット信号を含む信号から前記パイロット信号を抽出するパイロット信号抽出部と、
前記パイロット信号抽出部が抽出した前記パイロット信号に応じて前記信号の大きさを増幅または減衰する、前記パイロット信号抽出部の出力側に接続された信号増幅減衰部とを有するシステム。
【請求項５】
塔頂受信増幅器からパイロット信号を含む信号を受け取る段階と、
前記パイロット信号を含む信号から前記パイロット信号を抽出する段階と、
抽出した前記パイロット信号に応じて、前記パイロット信号を抽出した後の前記信号の大きさを増幅または減衰する段階とを有する、塔頂受信増幅器監視制御方法。
【発明の詳細な説明】
【技術分野】
【０００１】
本発明は、無線通信基地局における塔頂受信増幅器の監視に関し、特に、塔頂受信増幅器に電源を供給し、塔頂受信増幅器の出力および通電状態を監視する塔頂受信増幅器監視制御装置、システム、及び方法に関する。
【背景技術】
【０００２】
無線通信基地局において、受信増幅器は一般的に塔頂受信増幅器と監視制御装置で構成される。塔頂受信増幅器は、アンテナの直近で受信電力を増幅し、アンテナから監視制御装置までのケーブルによる減衰を補償するために使用される。一方、監視制御装置は塔頂受信増幅器への電源供給のほかに、塔頂受信増幅器の出力、通電状態などの監視を行い、異常時には警報を出力する。
【０００３】
ここで、塔頂受信増幅器の出力は、監視制御装置までを結ぶケーブル長や、監視制御装置の設置場所などの要因により、必ずしも減衰量が一定にはならない。そのため、監視制御装置は、監視制御装置の後段に接続される基地局装置に一定レベルで信号を受け渡すためにレベル調整機能を持ち、無線通信基地局の設置時に、設置者が個別にレベル調整を実施している。
【０００４】
図１は従来技術による監視制御装置の一例を示すブロック図である。図１において、塔頂受信増幅器（図示せず）から出力された受信信号とパイロット信号は、ＲＦ入力として入力され、入力段のＤＣカットコンデンサ２２０と、可変アッテネータ２０１とを通過したのち、パイロット信号のみが、サーキュレータ２０２およびバンド・パス・フィルタ２０４を経由して（さらに、ログ・アンプ２０５、オフセット調整アンプ２１０、ゲイン調整アンプ２１１、バッファ・アンプ２１２を介して）電圧モニターとして出力される。
【０００５】
また、サーキュレータ２０２で分離された受信信号は、更にアイソレータ２０３と、出力段のＤＣカットコンデンサ２２０を経由し、ＲＦ出力として基地局装置（図示せず）へ出力される。
【０００６】
受信信号のレベル調整は、可変アッテネータの制御電圧を決定するロータリスイッチ（ロータリＳＷ）２１６を可変しながら、電圧モニターとして出力されるパイロット信号が適切なレベルになるところを探しだすことにより行う。図１の監視制御装置では、ロータリスイッチ２１６の各設定における制御電圧を作り出すために、基準電圧発生器２０７において発生した基準電圧を、基準レベル調整アンプ２１７において調整して基準レベルとする。調整した基準レベルから、複数（図１では１６個）の制御電圧調整アンプ２１８において調整して制御電圧０〜１５を発生する。発生した制御電圧０〜１５は、アナログ・マルチプレクサ２１９に入力される。このアナログ・マルチプレクサ２１９に接続されたロータリスイッチ２１６を操作することにより、制御電圧０〜１５のうちの１つの制御電圧を選択し、ゲイン調整アンプ２１１を通してゲインを調整した後、可変アッテネータ２０１に送る。
【０００７】
図１に示した監視制御装置の自動制御化は、可変アッテネータ２０１の減衰量をデジタル制御することで容易に実現できる。図２は、従来技術による自動制御化した監視制御装置の一例を示すブロック図である。図１と同じ構成要素には同じ参照符号を付した。図１の監視制御装置では、設置者が電圧モニターを測定しながらロータリスイッチ２１６をマニュアルで操作していたのに対して、図２の監視制御装置では、電圧モニターの信号を用いて可変アッテネータ２０１を制御する。
【０００８】
電圧モニターの信号をＡ／Ｄコンバータ２１３でデジタル信号（データ）に変換する。このデータを、例えばＰＬＤで構成したデータ変換テーブル２１４により可変アッテネータ２０１の減衰量の制御信号に対応したデータに変換する。変換後のデータをＤ／Ａコンバータ２１５でアナログ信号に変換して、可変アッテネータ２０１に送る。
【０００９】
また、特許文献１には、長いケーブルを伝送することによって劣化する直流ゲインも含めた周波数特性の補正を自動的に行うケーブル補償装置が開示されている。この装置では、ｆ特調整用アンプの出力から低周波及び高周波の基準信号の振幅を検出し、フィードバックすることによりｆ特調整用アンプのｆ特を調整している。
【特許文献１】特開平９−２１９８０３号公報
【発明の開示】
【発明が解決しようとする課題】
【００１０】
設置時に調整を必要としない受信増幅器を提供することが望ましい。しかし、図２に示した監視制御装置のような構成では、監視制御装置内でデジタル信号を扱うため、高周波ノイズが発生しやすくなる。しかし、監視制御装置のように低雑音信号を扱うような場合には、高周波（デジタル）ノイズが発生する危険性を避けるべきである。また、可変アッテネータ２０１により減衰されたパイロット信号に基づいて可変アッテネータ２０１の減衰量を制御するため、制御の無限ループを持つことになる。
【課題を解決するための手段】
【００１１】
上記課題の少なくとも１つを解決するため、一実施形態による監視制御装置は、塔頂受信増幅器から受け取った、パイロット信号を含む信号から前記パイロット信号を抽出するパイロット信号抽出部と、前記パイロット信号抽出部が抽出した前記パイロット信号に応じて前記信号の大きさを増幅または減衰する、前記パイロット信号抽出部の出力側に接続された信号増幅減衰部とを有する。
【発明の効果】
【００１２】
上記監視制御装置は、塔頂受信増幅器からケーブルを介して監視制御装置に送られる受信信号の大きさを、自動的に制御して、基地局装置に出力することができる。
【発明を実施するための最良の形態】
【００１３】
以下、図面を参照して本発明の実施の形態を説明する。
【００１４】
図３は、一実施形態による塔頂受信増幅器監視制御システムを示すブロック図である。図３に示した塔頂受信増幅器監視制御システムは、塔頂受信増幅器１００と、監視制御装置２００と、基地局装置３００とを有する。
【００１５】
塔頂受信増幅器１００は、電波の送受信を容易にするため、通常は周辺の建物よりも高い塔の上部に設置される。塔頂受信増幅器１００は、低雑音増幅器（ＬＮＡ）１０１を有し、アンテナ１０３が接続されている。塔頂受信増幅器１００の詳細は、図６を参照してさらに詳しく説明する。
【００１６】
塔頂受信増幅器１００は、移動端末（図示せず）からの電波を接続されたアンテナ１０３で受信し、受信信号を低雑音増幅器１０１で増幅する。増幅した受信信号は、パイロット信号とともに、監視制御装置２００に送られる。パイロット信号は、塔頂受信増幅器１００で発生される一定周波数を有する信号である。ＩＭＴ−２０００の場合、例えば１．８５ＧＨｚ程度の周波数を有するが、これに限定はされない。
【００１７】
図３には、受信信号とパイロット信号を模式的に示した（図３中のグラフＧ１参照）。横軸は周波数であり、縦軸は信号強度である。パイロット信号の周波数は、受信信号の周波数とは異なる。
【００１８】
監視制御装置２００は、通常は塔の下部に設置される。そのため、塔頂受信増幅器１００と監視制御装置２００とは、長い同軸ケーブル１５０で接続されている。同軸ケーブル１５０の長さは、塔頂受信増幅器１００と監視制御装置との設置距離に応じて変わり、受信信号のケーブルロスに影響を与える。
【００１９】
一方、塔頂受信増幅器１００は、監視制御装置２００から電源供給を受ける。
【００２０】
監視制御装置２００は、塔頂受信増幅器１００から受け取った受信信号とパイロット信号を含む信号からパイロット信号を分離し、パイロット信号レベルを検出し、そのレベルに応じて可変アッテネータ（ＶＡＴＴ）を制御することにより受信信号を適切なレベルにし、基地局装置３００に出力する。
【００２１】
監視制御装置２００の構成を説明する。塔頂受信増幅器１００から受け取った受信信号とパイロット信号は、入力段のＤＣカットコンデンサ２２０において、直流成分がカットされる。次に、サーキュレータ２０２において、パイロット信号が抽出される。パイロット信号が抽出された後の受信信号は、可変アッテネータ２０１で減衰される。図３には、減衰された受信信号を模式的に示した（図３中のグラフＧ２参照）。横軸は周波数である。パイロット信号は白抜きで示し、サーキュレータ２０２により抽出されたことを示している。減衰された受信信号は、アイソレータ２０３及び出力段のＤＣカットコンデンサ２２０を介して、ＲＦ出力信号として基地局装置３００に出力される。可変アッテネータ２０１の減衰率は、サーキュレータ２０２で抽出されたパイロット信号により制御される。
【００２２】
一方、パイロット信号は、サーキュレータ２０２において受信信号から分離される。サーキュレータ２０２において分離されたパイロット信号を、さらにバンド・パス・フィルタ２０４を通して、余分な成分をフィルタ除去し、パイロット信号のみを取り出す。図３には、抽出したパイロット信号を模式的に示した（図３中のグラフＧ３参照）。横軸は周波数である。受信信号は白抜きで示し、サーキュレータ２０２により除去されていることを示した。
【００２３】
取り出されたパイロット信号は対数アンプ２０５で増幅される。対数アンプ（ＬＯＧ  ＡＭＰ）２０５は、信号強度に対数対リニアの変換をするアンプである。増幅されたパイロット信号は、差動アンプ（ＣＯＭＰ）２０６に入力される。作動アンプ２０６は、入力されたパイロット信号と基準電圧２０７とを比較して、パイロット信号の基準電圧２０７との差電圧を出力する。差電圧はサンプル・ホールド・アンプ（Ｓ／Ｈ  ＡＭＰ）２０８に入力される。サンプル・ホールド・アンプ２０８は、タイマー（ＴＩＭＥＲ）２０９からのトリガー信号（ＴＲＩＧ）に応答して、差動アンプ２０６の出力をサンプル・ホールドする。
【００２４】
塔上受信増幅器監視システムの電源が投入されると、塔上受信増幅器１００から出力されるパイロット信号は、図３中のグラフＧ４に示したように、一定の期間（リセット期間）が経過した後、安定して通常動作期間に入る。そこで、タイマー２０９は、リセット期間が経過し通常動作期間に入ってからトリガー信号（ＴＲＩＧ）を発生し、サンプル・ホールド・アンプ２０８に、パイロット信号をサンプル・ホールドさせるように設計されている。
【００２５】
サンプル・ホールド・アンプ２０８を設ける理由は、塔上受信増幅器監視システムの電源が投入され、リセット期間が経過し、通常動作期間に入ったときのパイロット信号に基づき、可変アッテネータ２０１の減衰量を制御するためである。これにより、塔頂受信増幅器１００や同軸ケーブルの経年変化に依存しない制御が可能となる。もちろん、差動アンプ２０６の差電圧で、サンプル・ホールドせずに連続的に可変アッテネータ２０１の減衰量を制御することも可能である。この場合、サンプル・ホールド・アンプ２０８及びタイマー２０９は無くてもよい。
【００２６】
基地局装置３００は、監視制御装置２００から受け取った受信信号（ＲＦ信号）をベースバンド信号にダウンコンバートして、デジタル信号に変換する。変換されたデジタル信号はコアネットワーク（図示せず）に出力される。
【００２７】
図１に示した従来の監視制御装置は、後段に接続される基地局装置に一定レベルでＲＦ信号を受け渡すためにレベル調整機能を持ち、無線基地局を設置する際に、作業者が個々にレベル調整を実施する必要が生じていた。また、レベル調整機能はステップ応答タイプである為、ステップ数分のレベル生成回路を必要とし、ステップ誤差を持ってしまっていた。
【００２８】
一実施形態による監視制御装置２００は、塔頂受信増幅器１００から受け取った、受信信号及びパイロット信号を含む信号からパイロット信号を抽出するサーキュレータ２０２及びバンド・パス・フィルタ２０４と、サーキュレータ２０２が抽出したパイロット信号に応じて、受信信号及びパイロット信号を含む信号の大きさを減衰する、サーキュレータ２０２の後段すなわち出力側に接続された可変アッテネータ２０１とを有する。これにより、塔頂受信増幅器１００からケーブルを介して監視制御装置２００に送られる受信信号の減衰量を、自動的に最適レベルに制御して、基地局装置３００に出力することができる。
【００２９】
この監視制御装置２００は、サーキュレータ２０２の出力側すなわち後段に可変アッテネータ２０１を用いる。信号のレベルを減衰方向にのみ制御することにより、受信信号へひずみ成分を与えることが無い。
【００３０】
他の実施形態では、可変アッテネータ２０１を、信号の大きさを増幅する増幅器で置き換え、サーキュレータ２０２及びバンド・パス・フィルタ２０４により抽出されたパイロット信号に応じて、その増幅器の利得を制御してもよい。
【００３１】
この監視制御装置２００は、サーキュレータ２０２及びバンド・パス・フィルタ２０４により抽出したパイロット信号を、タイマー２０９からのトリガー信号に基づき所定のタイミングでサンプル・ホールドするサンプル・ホールド・アンプ２０８（サンプルホールド部）をさらに有し、可変アッテネータ２０１は、サンプル・ホールド・アンプ２０８にサンプル・ホールドされたパイロット信号に応じて、信号の大きさを減衰している。これにより、装置起動後の所定のタイミングでサンプル・ホールドしたパイロット信号のレベルに応じて、可変アッテネータ２０１の減衰量を自動的に最適レベルに固定することができる。
【００３２】
監視制御装置２００は、サーキュレータ２０２（及びバンド・パス・フィルタ２０４）を用いて、塔頂受信増幅器１００から受け取った信号からパイロット信号を抽出している。このように、入力段にサーキュレータを配置することで、受信信号とパイロット信号の分離する機能と、外部とのアイソレーションの機能を同時に確保できる。
【００３３】
図３に示した一実施形態では、サーキュレータ２０２によりパイロット信号を抽出した。しかし、サーキュレータ２０２を例えば信号のスプリッタとその他の適切な回路（例えば、フィルタ）と置き換えてもよい。また、バンド・パス・フィルタ２０４を例えばハイパスフィルタと置き換えてもよい。要するに、塔頂受信増幅器１００から受け取った信号からパイロット信号を抽出できる構成であればどのような構成であってもよい。
【００３４】
図４は、監視制御装置の一実施例を示すブロック図である。図４において、図３と同じ構成要素には同じ参照符号を付した。
【００３５】
図４に示した監視制御装置において、塔頂受信増幅器からＲＦ入力として受け取った受信信号とパイロット信号は、サーキュレータ２０２にて分離される。パイロット信号は、バンド・パス・フィルタ２０４を経由してレベル検出される。作動アンプ２０６にて基準電圧との差電圧を求める。その差電圧により、サンプル・ホールド・アンプ２０８を経由して、可変アッテネータ２０１を制御する。また、サンプル・ホールド・アンプ２０８の出力は、タイマー２０９からのトリガー信号に応じてある一定時間後にサンプル・ホールドされたものである。ここまでの構成は、差動アンプ２０６とサンプル・ホールド・アンプ２０８の間にゲイン調整アンプ２１１が入っている点を除き、図３に示した監視制御装置２００と同じである。
【００３６】
図４に示した監視制御装置は、さらに、差動アンプ２２２を有している。この差動アンプ２２２の一方の入力には、監視制御装置を設置した後に所定のタイミングでサンプル・ホールド・アンプ２０８によりサンプル・ホールドされたパイロット信号が入力される。また、他方の入力には、現時点で塔頂受信増幅器から受け取っている信号から抽出したパイロット信号が入力される。このように、差動アンプ（ＣＯＭＰ）２２２により、サンプル・ホールドされたパイロット信号と、現時点のパイロット信号との差電圧を求め、この差電圧を電圧モニターとして出力している。これにより、塔頂受信増幅器およびケーブルの特性の経年劣化をモニターすることができる。
【００３７】
図５は、監視制御装置の他の実施例を示すブロック図である。
【００３８】
図５に示した監視制御装置は、図４に示したサンプル・ホールド・アンプ２０８及びタイマー２０９と、差動アンプ２２２とを削除し、ゲイン調整アンプ２１１の出力に基づき可変アッテネータ２０１の減衰率を連続的に制御する構成となっている。これにより、塔頂受信増幅器およびケーブルの特性に経年劣化があっても、現時点のパイロット信号のレベルに応じて、可変アッテネータ２０１の減衰率を自動的に最適レベルに調整することができる。
【００３９】
図６は、塔頂受信増幅器の詳細を示した、一実施形態による塔頂受信増幅器監視制御システムを示すブロック図である。図６に示した塔頂受信増幅器監視制御システムは、図３に示した塔頂受信増幅器監視制御システムについて、塔頂受信増幅器１００の構成を示したものである。
【００４０】
塔頂受信増幅器１００は、複数の低雑音増幅器（ＬＮＡ）１０１と、それに対応する送受信共用器（ＤＵＰ）１０２とを有し、送受信共用機１０２には、それに対応するアンテナ（ＡＮＴ）１０３が接続されている。
【００４１】
まず、受信時の動作を説明する。アンテナ１０３は、移動局（図示せず）からの電波を受信して、電気信号（受信信号）に変換する。受信信号は送受信共用器１０２を介して低雑音増幅器１０１に送られる。低雑音増幅器１０１は、その内部に、低雑音増幅回路（ＬＮＡ）１０１Ａを含み、受信信号を増幅して、受信ＲＦ信号として監視制御装置２００に送る。低雑音増幅器１０１は、さらに一定周波数のパイロット信号を発生する発信器１０１Ｂを含み、この発信器１０１Ｂが発生したパイロット信号が、受信信号とともに受信ＲＦ信号として監視制御装置２００に送られる。
【００４２】
次に、送信時の動作を説明する。コアネットワーク（図示せず）側から送られてきた送信データは、基地局装置３００により送信ＲＦ信号に変換され、監視制御装置２００を経ずに、直接、塔頂受信増幅器１００に送られ、送受信共用器１０２を介して、アンテナ１０３から移動局（図示せず）に送信される。
【００４３】
なお、塔頂受信増幅器１００と監視制御装置２００との間のケーブルには、監視制御装置２００により供給されるＤＣバイアスが重畳されている。低雑音増幅器１０１内のバイアス制御部１０１Ｃは、このＤＣバイアスを、低雑音増幅回路１０１Ａと発信器１０１Ｂに供給する。
【００４４】
また、監視制御装置２００と基地局装置３００とは、互いに監視・制御信号を交換している。
【００４５】
図６に示した塔頂受信増幅器１００では、塔頂受信増幅器１００内の発信器１０１Ｂによりパイロット信号を発生して受信ＲＦ信号に重畳したが、他の実施形態では、塔頂受信増幅器１００の外部（例えば、監視制御装置２００）でパイロット信号を発生して、塔頂受信増幅器１００に供給してもよい。
【００４６】
以上、本発明の実施の形態について詳述したが、本発明は特定の実施形態に限定されるものではなく、特許請求の範囲に記載された本発明の要旨の範囲内において、種々の変形及び変更が可能である。
【００４７】
なお、本開示にあたり、以下の付記を記す。
（付記１）
塔頂受信増幅器から受け取った、パイロット信号を含む信号から前記パイロット信号を抽出するパイロット信号抽出部と、
前記パイロット信号抽出部が抽出した前記パイロット信号に応じて前記信号の大きさを増幅または減衰する、前記パイロット信号抽出部の出力側に接続された信号増幅減衰部とを有する監視制御装置。
（付記２）
前記パイロット信号抽出部が抽出した前記パイロット信号を、所定のタイミングでサンプル・ホールドするサンプル・ホールド部をさらに有し、
前記信号増幅減衰部は、前記サンプル・ホールド部にサンプル・ホールドされた前記パイロット信号に応じて前記信号の大きさを増幅または減衰する、付記１に記載の監視制御装置。
（付記３）
前記パイロット信号抽出部が抽出した前記パイロット信号と、前記サンプル・ホールド部にサンプル・ホールドされた前記パイロット信号との差信号を出力する差信号出力部を更に有する、付記２に記載の監視制御装置。
（付記４）
前記パイロット信号抽出部はサーキュレータを有する、付記１ないし３いずれか一項に記載の監視制御装置。
（付記５）
前記信号増幅減衰部は可変アッテネータを有する、付記１ないし４いずれか一項に記載の監視制御装置。
（付記６）
パイロット信号を含む信号を出力する塔頂受信増幅器と、
前記塔頂受信増幅器とケーブルで接続された監視制御装置とを有する塔頂受信増幅器監視制御システムであって、
前記監視制御装置は、
前記塔頂受信増幅器から受け取った、パイロット信号を含む信号から前記パイロット信号を抽出するパイロット信号抽出部と、
前記パイロット信号抽出部が抽出した前記パイロット信号に応じて前記信号の大きさを増幅または減衰する、前記パイロット信号抽出部の出力側に接続された信号増幅減衰部とを有するシステム。
（付記７）
塔頂受信増幅器からパイロット信号を含む信号を受け取る段階と、
前記パイロット信号を含む信号から前記パイロット信号を抽出する段階と、
抽出した前記パイロット信号に応じて、前記パイロット信号を抽出した後の前記信号の大きさを増幅または減衰する段階とを有する、塔頂受信増幅器監視制御方法。
【図面の簡単な説明】
【００４８】
【図１】従来技術による監視制御装置の一例を示すブロック図である。
【図２】従来技術による自動制御化した監視制御装置の一例を示すブロック図である。
【図３】一実施形態による塔頂受信増幅器監視制御システムを示すブロック図である。
【図４】監視制御装置の一実施例を示すブロック図である。
【図５】監視制御装置の他の実施例を示すブロック図である。
【図６】塔頂受信増幅器の詳細を示した、一実施形態による塔頂受信増幅器監視制御システムを示すブロック図である。
【符号の説明】
【００４９】
１００  塔頂受信増幅器
１０１  低雑音増幅器
１０１Ａ  低雑音増幅回路
１０１Ｂ  パイロット信号発信器
１０１Ｃ  バイアス制御部
１０２  送受信共用器
２００  監視制御装置
２０１  可変アッテネータ
２０２  サーキュレータ
２０３  アイソレータ
２０４  バンド・パス・フィルタ
２０５  ログ・アンプ
２０６  差動アンプ
２０７  基準電圧
２０８  サンプル・ホールド・アンプ
２０９  タイマー
２１０  オフセット調整アンプ
２１１  ゲイン調整アンプ
２１２  バッファ・アンプ
２１３  Ａ／Ｄコンバータ
２１４  ブログラマブル・ロジック・デバイス
２１５  Ｄ／Ａコンバータ
２１６  ロータリスイッチ
２１７  基準レベル調整アンプ
２１８  制御電圧調整アンプ
２１９  アナログ・マルチプレクサ
２２０  コンデンサ（ＤＣカット）
２２１  発振器
２２２  差動アンプ
３００  基地局装置
【図１】
2009246473.tif 000003
【図２】
2009246473.tif 000004
【図３】
2009246473.tif 000005
【図４】
2009246473.tif 000006
【図５】
2009246473.tif 000007
【図６】
2009246473.tif 000008